(57)【要約】【課題】データ送信許可及びデータ受信許可によりデータの転送を制御するクロック乗り換えシステムにおいて、効率よくデータ転送を行うことができるデータ転送装置を提供することを目的とする。【解決手段】データ転送装置１３は、送信クロックｃｋｗに同期してデータを送信する送信装置と、受信クロックｃｋｒに同期してデータを受信する受信装置との間でデータの転送を行うシステムに適用される。データ転送装置１３は、送信許可信号ｒｗｏ及び受信許可信号ｒｒｏを生成するとともにデータをラッチする第１〜第ｎの転送ユニット２０−１〜２０−ｎを有している。データ転送装置１３では、各転送ユニット２０を巡回的に切り換えながら、送信許可信号ｒｗｏ及び受信許可信号ｒｒｏを外部に出力するとともに、データをラッチしている。【選択図】　図２
2004110705.tif 000002
【特許請求の範囲】
【請求項１】
第１のクロックに同期してデータを送信する送信装置と、上記第１のクロックとは異なる第２のクロックに同期してデータを受信する受信装置とを有し、
上記送信装置は、送信許可信号を受信し、この送信許可信号に応じて、データが有効であることを示す送信イネーブル信号を送信するとともに、この送信イネーブル信号に同期してデータを送信し、
上記受信装置は、受信許可信号を受信し、受信した受信許可信号に応じて、データが有効であることを示す受信イネーブル信号を送信するとともに、この受信イネーブル信号に同期してデータを受信する送受信システムに適用されるデータ転送装置において、
上記送信許可信号及び受信許可信号を生成するとともに上記データをラッチする第１〜第ｎ（ｎは、２以上の整数）の転送ユニットと、
上記送信イネーブル信号をカウントして、１〜ｎの値を巡回的に発生する送信カウンタと、
上記受信イネーブル信号をカウントして、１〜ｎの値を巡回的に発生する受信カウンタと、
上記第１〜第ｎの部分データ転送手段のうち、上記送信カウンタから発生された値に基づき指定される１つの転送ユニットを選択し、選択した転送ユニットに対して上記送信装置から送信された送信イネーブル信号を供給する送信イネーブル信号セレクタと、
上記第１〜第ｎの部分データ転送手段のうち、上記受信カウンタから発生された値に基づき指定される１つの転送ユニットを選択し、選択した転送ユニットに対して上記受信装置から送信された受信イネーブル信号を供給する受信イネーブル信号セレクタと、
上記第１〜第ｎの部分データ転送手段のうち、上記送信カウンタから発生された値に基づき指定される１つの転送ユニットを選択し、選択した転送ユニットにより生成された送信許可信号を選択して出力する送信許可信号セレクタと、
上記第１〜第ｎの部分データ転送手段のうち、上記受信カウンタから発生された値に基づき指定される１つの転送ユニットを選択し、選択した転送ユニットにより生成された受信許可信号を選択して出力する受信許可信号セレクタと、
上記第１〜第ｎの部分データ転送手段のうち、上記受信カウンタから発生された値に基づき指定される１つの転送ユニットを選択し、選択した転送ユニットによりラッチされているデータを出力するデータセレクタとを備え、
上記転送ユニットは、
上記送信装置から送信されたデータを上記送信イネーブル信号カウンタから供給された送信イネーブル信号のタイミングでラッチし、ラッチしているデータが上記受信イネーブル信号カウンタから供給された受信イネーブル信号のタイミングで読み出されるデータラッチ手段と、
上記送信イネーブル信号カウンタから供給された送信イネーブル信号を上記第１のクロックのタイミングでラッチし、ラッチした送信イネーブル信号を少なくとも上記第１のクロックの１周期分遅延させ、遅延させる第１のラッチ手段と、
上記第１のラッチ手段によりラッチされた送信イネーブル信号を上記第２のクロックのタイミングでラッチする第２のラッチ手段と、
上記第２のラッチ手段によりラッチされた送信イネーブル信号に応じて上記第２のクロックに同期した受信許可信号を発生し、上記受信イネーブル信号カウンタから供給された受信イネーブル信号に応じて当該受信許可信号の発生を停止する受信許可信号発生手段と、
上記受信イネーブル信号カウンタから供給された受信イネーブル信号を上記第２のクロックのタイミングでラッチし、ラッチした受信イネーブル信号を少なくとも上記第２のクロックの１周期分遅延させる第３のラッチ手段と、
上記第３のラッチ手段によりラッチされた受信イネーブル信号を上記第１のクロックのタイミングでラッチする第４のラッチ手段と、
上記第４のラッチ手段によりラッチされた受信イネーブル信号に応じて上記第１のクロックに同期した送信許可信号を発生し、上記送信イネーブル信号カウンタから供給された送信イネーブル信号に応じて当該送信許可信号の発生を停止する送信許可信号発生手段とを有すること
を特徴とするデータ転送装置。
【請求項２】
上記第２のラッチ手段は、上記第１のラッチ手段によりラッチされた送信イネーブル信号を、上記第２のクロックのタイミングで１回ラッチし、
上記第４のラッチ手段は、上記第３のラッチ手段によりラッチされた送信イネーブル信号を、上記第１のクロックのタイミングで１回ラッチすること
を特徴とする請求項１記載のデータ転送装置。
【請求項３】
上記ｎは、４以上とされていること
を特徴とする請求項２記載のデータ転送装置。
【請求項４】
第１のクロックの周期と第２のクロックと周期とが異なり、
上記ｎは、３以上であること
を特徴とする請求項３記載のデータ転送装置。
【請求項５】
上記第１のクロックの周期と第２のクロックとの周期の比が、１／２より小さく、或いは、２より大きくなっており、
上記ｎは、２以上であること
を特徴とする請求項４記載のデータ転送装置。
【請求項６】
上記第２のラッチ手段は、上記第１のラッチ手段によりラッチされた送信イネーブル信号を、上記第２のクロックのタイミングで２回ラッチし、
上記第４のラッチ手段は、上記第３のラッチ手段によりラッチされた送信イネーブル信号を、上記第１のクロックのタイミングで２回ラッチすること
を特徴とする請求項１記載のデータ転送装置。
【請求項７】
上記ｎは、６以上とされていること
を特徴とする請求項６記載のデータ転送装置。
【請求項８】
第１のクロックの周期と第２のクロックと周期とが異なり、
上記ｎは、５以上であること
を特徴とする請求項７記載のデータ転送装置。
【請求項９】
上記第１のクロックの周期と第２のクロックとの周期の比が、２／３より小さく、或いは、３／２より大きくなっており、
上記ｎは、４以上であること
を特徴とする請求項８記載のデータ転送装置。
【請求項１０】
上記第１のクロックの周期と第２のクロックとの周期の比が、１／３より小さく、或いは、３より大きくなっており、
上記ｎは、３以上であること
を特徴とする請求項９記載のデータ転送装置。
【発明の詳細な説明】
【０００１】
【発明の属する技術分野】
本発明は、非同期のクロックで動作している２つのシステム間でデータの転送を行うデータ転送装置に関する。
【０００２】
【従来の技術】
非同期のクロックを用いた２つのシステム間でデータの転送を行う場合、転送するデータのクロック乗り換え処理を行わなければならない。クロック乗り換え処理の方法としては、例えば、ＦＩＦＯレジスタやＲＡＭでクロック間のタイミング差を吸収する方法や、送信側及び受信側の２つのクロックから、同期タイミング用の新たなクロックを生成し、その新たなクロックに同期させてデータを転送する方法などがある。しかしながら、前者の方法では、ＦＩＦＯレジスタやＲＡＭが必要であるので、回路規模が大きくなってしまう。また、後者の方法でも、クロック比の情報やタイミング調整用のパラメータ情報等を入力する必要があったり、同期タイミング用のクロックを生成するための回路が必要であったりするので、やはり回路規模が大きくなってしまう。
【０００３】
また、送信データのイネーブル信号を受信側のクロックで検出して、その検出タイミングでデータを受信側に転送する方法もある。この方法の場合、回路規模は非常に小さくなるが、送信側のクロックよりも受信側のクロックの方が充分早くなければ実現できない。
【０００４】
以上のような問題を解決するシステムとして、従来より、図１２に示すような、データ送信許可及びデータ受信許可を発生して、データの転送タイミングの制御をしながらクロック乗換えを行うシステムが提案されている。
【０００５】
以下、この図１２に示す従来のクロック乗り換えシステムについて説明をする。
【０００６】
従来のクロック乗り換えシステム１００は、データの転送元の装置（以下、送信装置１０１という。）と、データの転送先の装置（以下、受信装置１０２という。）との間に、送信装置１０１から受信装置１０２へデータの受け渡しを行うデータ転送装置１０３が設けられた構成となっている。
【０００７】
送信装置１０１は、所定の周波数のクロック（送信クロックｃｋｗ）で動作している。送信装置１０１は、所定のバス幅のデータをデータ出力端子から出力する。送信装置１０１は、データ転送を行う場合、送信クロックｃｋｗに同期した送信データｄｗｉをデータ転送装置１０３へ送信する。
【０００８】
送信装置１０１は、データ転送を行う場合、バスを転送している送信データｄｗｉの送信タイミングを示す送信イネーブル信号ｅｗｉも、送信データｄｗｉに同期させてデータ転送装置１０３に出力する。送信イネーブル信号ｅｗｉは、送信クロックｃｋｗに同期したハイ（Ｈ）及びロー（Ｌ）の２値信号で表される。送信イネーブル信号ｅｗｉは、送信装置１０１からデータ転送装置１０３へ送信データｄｗｉが転送されているタイミングでＨとされ、送信データｄｗｉが転送されていないタイミングにＬとされる。
【０００９】
送信装置１０１は、送信データｄｗｉの出力を許可することを意味する送信許可信号ｒｗｏを、データ転送装置１０３から受信する。送信許可信号ｒｗｏは、送信クロックｃｋｗに同期したハイ（Ｈ）及びロー（Ｌ）の２値信号で表されている。送信装置１０１は、送信許可信号ｒｗｏが１クロック分Ｈとされると、１ワード分の送信データｄｗｉを送信クロックｃｋｗに同期させてデータ転送装置１０３へ送信する。送信装置１０１は、送信許可信号ｒｗｏがＬとされている間は、送信データｄｗｉ及び送信イネーブル信号ｄｗｉの出力を行わない。
【００１０】
受信装置１０２は、送信クロックｃｋｗとは非同期のクロック（受信クロックｃｋｒ）で動作している。受信装置１０２は、所定のバス幅のデータをデータ入力端子から入力する。受信装置１０２は、データ転送を行う場合、受信クロックｃｋｒに同期した受信データｄｒｏをデータ転送装置１０３から受信する。
【００１１】
受信装置１０２は、バスを転送している受信データｄｒｏの受信タイミングを示す受信イネーブル信号ｅｒｉを、受信クロックｃｋｒに同期させてデータ転送装置１０３に出力する。受信イネーブル信号ｅｒｉは、受信クロックｃｋｒに同期したハイ（Ｈ）及びロー（Ｌ）の２値信号で表される。受信イネーブル信号ｅｒｉは、データ転送装置１０３から受信装置１０２へ受信データｄｒｏが転送されているタイミングでＨとされ、受信データｄｒｏが転送されていないタイミングにＬとされる。
【００１２】
受信装置１０２は、受信データｄｒｏの入力を許可することを意味する受信許可信号ｒｒｏを、データ転送装置１０３から受信する。受信許可信号ｒｒｏは、受信クロックｃｋｒに同期したハイ（Ｈ）及びロー（Ｌ）の２値信号で表されている。受信装置１０２は、受信許可信号ｒｒｏがＨである期間に、１ワード分の受信データｄｒｏをデータ転送装置１０３から受信クロックｃｋｒに同期させて受信することができる。受信装置１０２は、受信許可信号ｒｒｏがＬとされている間は、受信データｄｒｏの受信及び受信イネーブル信号ｅｒｉの送信を行わない。
【００１３】
データ転送装置１０３は、送信イネーブル信号ｅｗｉがＨとなったタイミングで、１ワード分の送信データｄｗｉを受信し、内部にラッチする。また、データ転送装置１０３は、受信イネーブル信号ｅｒｉがＨとなったタイミングで、内部にラッチしている１ワード分のデータが、受信装置１０２により読み出される。
【００１４】
データ転送装置１０３は、送信装置１０１から送信イネーブル信号ｅｗｉが入力され、受信装置１０２から受信イネーブル信号ｅｒｉが入力される。また、データ転送装置１０３は、送信許可信号ｒｗｏを送信装置１０１に出力し、受信許可信号ｒｒｏを受信装置１０２に出力する。
【００１５】
以上のようなクロック乗り換えシステム１００の動作例について説明をする。
【００１６】
クロック乗り換えシステム１００では、次の（Ｓ１）〜（Ｓ４）の処理を巡回的に行う。なお、例えば電源投入時やデータの転送開始の命令の受信時等のデータ転送の開始時には、データ転送装置１０３は、送信許可信号ｒｗｏをＨとし、受信許可信号ｒｒｏをＬとしている。
【００１７】
（Ｓ１）まず、送信装置１０１は、送信許可信号ｒｗｏがＨとなったことを受けて、１ワード分の送信データｄｗｉをデータ転送装置１０３に格納する。このとき、送信装置１０１は、送信データｄｗｉの転送に同期させて、送信イネーブル信号ｅｗｉを１クロック分（送信クロックｃｋｗ）Ｈとする。
【００１８】
（Ｓ２）続いて、データ転送装置１０３は、送信イネーブル信号ｅｗｉがＨとなったことを受けて、送信許可信号ｒｗｏをＬとするとともに、受信許可信号ｒｒｏをＨとする。なお、このとき、データ転送装置１０３は、送信イネーブル信号ｅｗｉがＨとなったタイミング（例えば送信イネーブル信号ｅｗｉの立ち上がりエッジ）から、受信許可信号ｒｒｏをＨとするタイミング（例えば受信許可信号ｒｒｏの立ち上がりエッジ）までの時間間隔に、送信クロックｃｋｗの１周期分以上の時間を空ける。このように時間間隔をとるのは、送信装置１０１から送信データｄｗｉの格納が確実に完了することを保障するためである。
【００１９】
（Ｓ３）続いて、受信装置１０２は、受信許可信号ｒｒｏがＨとなったことを受けて、１ワード分の受信データｄｒｏをデータ転送装置１０３から読み出す。このとき、受信装置１０２は、受信データｄｒｏの転送に同期させて、受信イネーブル信号ｅｒｉを１クロック分（受信クロックｃｋｒ）Ｈとする。
【００２０】
（Ｓ４）続いて、データ転送装置１０３は、受信イネーブル信号ｅｒｉがＨとなったことを受けて、受信許可信号ｒｒｏをＬとするとともに、送信許可信号ｒｗｏをＨとする。なお、このとき、データ転送装置１０３は、受信イネーブル信号ｅｒｉがＨとなったタイミング（例えば、受信イネーブル信号ｅｒｉの立ち上がりエッジ）から、送信許可信号ｒｗｏをＨとするタイミング（例えば送信許可信号ｒｗｏの立ち上がりエッジ）までの時間間隔として、受信クロックｃｋｒの１周期分以上の時間を空ける。このように時間間隔をとるのは、受信装置１０２の受信データｄｒｏの読み出しが確実に完了することを保障するためである。
【００２１】
図１３及び図１４に、以上のような動作を行う場合における各信号のタイミングチャートを示す。図１３は、ｃｋｗ＜ｃｋｒの場合のタイミングチャートである。図１４は、ｃｋｗ＞ｃｋｒの場合のタイミングチャートである。
【００２２】
以上のように従来のクロック乗り換えシステム１００では、送信許可信号ｒｗｏの発行→送信データｄｗｉの格納→受信許可信号ｒｒｏの発行→受信データｄｒｏの読み出し→送信許可信号ｒｗｏの発行→送信データｄｗｉの格納→・・・といった処理を巡回的に繰り返していくこととなる。
【００２３】
従って、従来のクロック乗り換えシステム１００では、大容量のＦＩＦＯやＲＡＭ等を用いることなく、且つ、非同期のクロック間のデータの転送を実現することができ、さらに、送信クロックｃｋｗと受信クロックｃｋｒとのクロック比がどのような値であっても、データの転送を実現できる。
【００２４】
【発明が解決しようとする課題】
ところで、非同期のクロックを用いた２つのシステム間でデータ転送を行う場合、送信クロックｃｋｗと受信クロックｃｋｒとの関係がｃｋｗ＜ｃｋｒであれば、送信データｄｗｉの転送レートと送信クロックｃｋｗとが一致することが、理論的に最も効率良いデータ転送となる。同様に、送信クロックｃｋｗと受信クロックｃｋｒとの関係がｃｋｗ＞ｃｋｒであれば、受信データｄｒｏの転送レートと受信クロックｃｋｒとが一致することが、理論的に最も効率良いデータ転送となる。
【００２５】
しかしながら、図１３に示す場合（ｃｋｗ＜ｃｋｒ）における送信データｄｗｉの転送レートは、送信クロックｃｋｗに対して１／２の転送レートとなっている。このように転送レートが低くなるのは、送信イネーブル信号ｅｗｉがＨとなったタイミングから、受信許可信号ｒｒｏをＨとするタイミングまでの時間間隔に、送信クロックｃｋｗの１周期分以上の時間を空け、送信装置１０１からデータ転送装置１０３への送信データｄｗｉの格納が確実に完了することを保障するためである。
【００２６】
同様に、図１４に示す場合（ｃｋｗ＞ｃｋｒ）における受信データｄｒｏの転送レートは、受信クロックｃｋｒに対して１／２の転送レートとなっている。これも同様に、受信イネーブル信号ｅｒｉがＨとなったタイミングから、送信許可信号ｒｗｏをＨとするタイミングまでの時間間隔として、受信クロックｃｋｒの１周期分以上の時間を空け、データ転送装置１０３から受信装置１０２への受信データｄｒｏの読み出しが確実に完了することを保障するためである。
【００２７】
つまり、従来のクロック乗り換えシステム１００では、送信許可信号ｒｗｏの発行及び受信許可信号ｒｒｏの発行を行う際に、データ転送レートに冗長な時間が生じてしまい、理論的に最も効率の良い転送レートでデータを転送することができなかった。
【００２８】
本発明は、このような従来の実情に鑑みて提案されたものであり、データ送信許可及びデータ受信許可によりデータの転送を制御するクロック乗り換えシステムにおいて、効率よくデータ転送を行うことができるデータ転送装置を提供することを目的とする。
【００２９】
【課題を解決するための手段】
本発明にかかるデータ転送装置は、第１のクロックに同期してデータを送信する送信装置と、上記第１のクロックとは異なる第２のクロックに同期してデータを受信する受信装置とを有するクロック乗り換えシステムに適用される。
【００３０】
上記送信装置は、送信許可信号を受信し、この送信許可信号に応じて、データが有効であることを示す送信イネーブル信号を送信するとともに、この送信イネーブル信号に同期してデータを送信する。また、上記受信装置は、受信許可信号を受信し、受信した受信許可信号に応じて、データが有効であることを示す受信イネーブル信号を送信するとともに、この受信イネーブル信号に同期してデータを受信する。
【００３１】
このデータ転送装置は、上記送信許可信号及び受信許可信号を生成するとともに上記データをラッチする第１〜第ｎ（ｎは、２以上の整数）の転送ユニットと、上記送信イネーブル信号をカウントして１〜ｎの値を巡回的に発生する送信カウンタと、上記受信イネーブル信号をカウントして１〜ｎの値を巡回的に発生する受信カウンタと、上記第１〜第ｎの部分データ転送手段のうち上記送信カウンタから発生された値に基づき指定される１つの転送ユニットを選択し、選択した転送ユニットに対して上記送信装置から送信された送信イネーブル信号を供給する送信イネーブル信号セレクタと、上記第１〜第ｎの部分データ転送手段のうち上記受信カウンタから発生された値に基づき指定される１つの転送ユニットを選択し、選択した転送ユニットに対して上記受信装置から送信された受信イネーブル信号を供給する受信イネーブル信号セレクタと、上記第１〜第ｎの部分データ転送手段のうち上記送信カウンタから発生された値に基づき指定される１つの転送ユニットを選択し、選択した転送ユニットにより生成された送信許可信号を選択して出力する送信許可信号セレクタと、上記第１〜第ｎの部分データ転送手段のうち上記受信カウンタから発生された値に基づき指定される１つの転送ユニットを選択し、選択した転送ユニットにより生成された受信許可信号を選択して出力する受信許可信号セレクタと、上記第１〜第ｎの部分データ転送手段のうち、上記受信カウンタから発生された値に基づき指定される１つの転送ユニットを選択し、選択した転送ユニットによりラッチされているデータを出力するデータセレクタとを備えている。
【００３２】
さらに、上記転送ユニットは、データラッチ手段と、第１から第４のラッチ手段、並びに、受信許可信号発生手段及び送信許可発生手段を備えている。
【００３３】
上記データラッチ手段は、送信装置から送信されたデータを送信イネーブル信号のタイミングでラッチし、ラッチしているデータが上記受信装置により上記受信イネーブル信号のタイミングで読み出される。
【００３４】
上記第１のラッチ手段は、上記送信装置から送信された送信イネーブル信号を上記第１のクロックのタイミングでラッチし、ラッチした送信イネーブル信号を少なくとも上記第１のクロックの１周期分遅延させる。上記第２のラッチ手段は、上記第１のラッチ手段によりラッチされた送信イネーブル信号を上記第２のクロックのタイミングでラッチする。上記受信許可信号発生手段は、上記第２のラッチ手段によりラッチされた送信イネーブル信号に応じて上記第２のクロックに同期した受信許可信号を送信し、上記受信装置から送信された受信イネーブル信号に応じて当該受信許可信号の送信を停止する。
【００３５】
上記第３のラッチ手段は、上記受信装置から送信された受信イネーブル信号を上記第２のクロックのタイミングでラッチし、ラッチした受信イネーブル信号を少なくとも上記第２のクロックの１周期分遅延させる。上記第４のラッチ手段は、上記第３のラッチ手段によりラッチされた受信イネーブル信号を上記第１のクロックのタイミングでラッチする。上記送信許可信号発生手段は、上記第４のラッチ手段によりラッチされた受信イネーブル信号に応じて上記第１のクロックに同期した送信許可信号を送信し、上記送信装置から送信された送信イネーブル信号に応じて当該送信許可信号の送信を停止する。
【００３６】
【発明の実施の形態】
以下、本発明の実施の形態として、本発明を適用したクロック乗り換えシステムについて説明をする。本実施の形態のクロック乗り換えシステムは、非同期のクロックを用いた２つのシステム間でデータの転送処理に適用されるシステムである。
【００３７】
（システム全体構成）
図１に本発明の実施の形態のクロック乗り換えシステムのブロック構成図を示す。
【００３８】
本発明の実施の形態のクロック乗り換えシステム１は、データの転送元の装置（以下、送信装置１１という。）と、データの転送先の装置（以下、受信装置１２という。）との間に、送信装置１１から受信装置１２へデータの受け渡しを行うデータ転送装置１３が設けられた構成となっている。なお、ここでは、データ転送装置１３は、送信装置１１及び受信装置１２のそれぞれから独立した構成となっているが、送信装置１１又は受信装置１２のいずれか一方の組み込まれた構成とされていてもよい。
【００３９】
送信装置１１は、所定の周波数のクロックで動作している。送信装置１１の動作クロックを、以下、送信クロックｃｋｗという。送信装置１１は、所定のバス幅のデータをデータ出力端子から出力する。送信装置１１は、データ転送を行う場合、送信クロックｃｋｗに同期したデータをデータ転送装置１３へ送信する。送信装置１１からデータ転送装置１３へ送信されるデータを、以下、送信データｄｗｉという。
【００４０】
送信装置１１は、データ転送を行う場合、バスを転送している送信データｄｗｉが有効であるか無効であるかを示す送信イネーブル信号ｅｗｉも、送信データｄｗｉに同期させて出力する。送信装置１１は、この送信イネーブル信号ｅｗｉをデータ転送装置１３に送信する。送信イネーブル信号ｅｗｉは、送信クロックｃｋｗに同期したハイ（Ｈ）及びロー（Ｌ）の２値信号で表される。送信イネーブル信号ｅｗｉは、送信装置１１からデータ転送装置１３へ送信データｄｗｉが転送されているタイミングでＨとされ、送信データｄｗｉが転送されていないタイミングにＬとされる。
【００４１】
送信装置１１は、送信データｄｗｉの出力を許可することを意味する送信許可信号ｒｗｏを、データ転送装置１３から受信する。送信許可信号ｒｗｏは、送信クロックｃｋｗに同期したハイ（Ｈ）及びロー（Ｌ）の２値信号で表されている。送信装置１１は、送信許可信号ｒｗｏが１クロック分Ｈとされると、１ワード分の送信データｄｗｉを送信クロックｃｋｗに同期させてデータ転送装置１３へ送信する。送信装置１１は、送信許可信号ｒｗｏがＬとされている間は、送信データｄｗｉの出力を行わない。
【００４２】
受信装置１２は、送信クロックｃｋｗとは非同期のクロックで動作している。受信装置１２の動作クロックを、以下、受信クロックｃｋｒいう。受信装置１２は、所定のバス幅のデータをデータ入力端子から入力する。受信装置１２は、データ転送を行う場合、受信クロックｃｋｒに同期したデータをデータ転送装置１３から受信する。データ転送装置１３から受信装置１２へ転送されるデータを、以下、受信データｄｒｏという。
【００４３】
受信装置１２は、バスを転送している受信データｄｒｏが有効であるか無効であるかを示す受信イネーブル信号ｅｒｉを、受信クロックｃｋｒに同期させて出力する。受信装置１２は、この受信イネーブル信号ｅｒｉをデータ転送装置１３に送信する。受信イネーブル信号ｅｒｉは、受信クロックｃｋｒに同期したハイ（Ｈ）及びロー（Ｌ）の２値信号で表される。受信イネーブル信号ｅｒｉは、データ転送装置１３から受信装置１２へ受信データｄｒｏが転送されているタイミングでＨとされ、受信データｄｒｏが転送されていないタイミングにＬとされる。
【００４４】
受信装置１２は、受信データｄｒｏの入力を許可することを意味する受信許可信号ｒｒｏを、データ転送装置１３から受信する。受信許可信号ｒｒｏは、受信クロックｃｋｒに同期したハイ（Ｈ）及びロー（Ｌ）の２値信号で表されている。受信装置１２は、受信許可信号ｒｒｏが１クロック分Ｈとされると、１ワード分の受信データｄｒｏをデータ転送装置１３から受信クロックｃｋｒに同期させて受信する。受信装置１２は、受信許可信号ｒｒｏがＬとされている間は、受信データｄｒｏの受信を行わない。
【００４５】
データ転送装置１３は、送信イネーブル信号ｅｗｉがＨとなったタイミングで、１ワード分の送信データｄｗｉを送信装置１１から受信して内部にラッチする。また、データ転送装置１３は、受信イネーブル信号ｅｒｉがＨとなったタイミングで、内部にラッチしている１ワード分のデータが、受信装置１２により読み出される。
【００４６】
データ転送装置１３は、送信装置１１から送信イネーブル信号ｅｗｉが入力され、受信装置１２から受信イネーブル信号ｅｒｉが入力される。また、データ転送装置１３は、送信許可信号ｒｗｏを送信装置１１に出力し、受信許可信号ｒｒｏを受信装置１２に出力する。
【００４７】
以上のようなクロック乗り換えシステム１では、次の（Ｓ１１）〜（Ｓ１４）の処理を巡回的に行うこととなる。なお、例えば電源投入時やデータの転送開始の命令の受信時等のデータ転送の開始時には、データ転送装置１３は、送信許可信号ｒｗｏをＨとし、受信許可信号ｒｒｏをＬとしている。
【００４８】
（Ｓ１１）まず、送信装置１１は、送信許可信号ｒｗｏがＨとなったことを受けて、１ワード分の送信データｄｗｉをデータ転送装置１３に格納する。このとき、送信装置１１は、送信データｄｗｉの転送に同期させて、送信イネーブル信号ｅｗｉを１クロック分（送信クロックｃｋｗ）Ｈとする。
【００４９】
（Ｓ１２）続いて、データ転送装置１３は、送信イネーブル信号ｅｗｉがＨとなったことを受けて、送信許可信号ｒｗｏをＬとするとともに、受信許可信号ｒｒｏをＨとする。
【００５０】
（Ｓ１３）続いて、受信装置１２は、受信許可信号ｒｒｏがＨとなったことを受けて、１ワード分の受信データｄｒｏをデータ転送装置１３から読み出す。このとき、受信装置１２は、受信データｄｒｏの転送に同期させて、受信イネーブル信号ｅｒｉを１クロック分（受信クロックｃｋｒ）Ｈとする。
【００５１】
（Ｓ１４）続いて、データ転送装置１３は、受信イネーブル信号ｅｒｉがＨとなったことを受けて、受信許可信号ｒｒｏをＬとするとともに、送信許可信号ｒｗｏをＨとする。
【００５２】
（データ転送装置内の具体的な構成）
つぎに、データ転送装置１３内の具体的な内部構成について、図２を参照して説明をする。
【００５３】
データ転送装置１３は、図２に示すように、第１〜第ｎの転送ユニット２０−１〜２０−ｎと、送信カウンタ２１と、受信カウンタ２２と、送信イネーブル信号デコーダ２３と、受信イネーブル信号デコーダ２４と、送信許可信号セレクタ２５と、受信許可信号セレクタ２６と、データセレクタ２７とを備えている。なお、ｎは、本データ転送装置１３内に備えられた転送ユニット２０の個数である。また、以下の説明で用いる図面中には、ｎ＝４のときの回路例を示している。
【００５４】
第１〜第ｎの転送ユニット２０−１〜２０−ｎは、内部構成が全て同一となっている。以下、第１〜第ｎの転送ユニット２０−１〜２０−ｎのうちの任意の転送ユニットのことを、以下第ｘの転送ユニット２０−ｘと言う。なお、ｘは、１〜ｎの整数となる。
【００５５】
第ｘの転送ユニット２０−ｘには、送信イネーブル信号デコーダ２３により生成された第ｘの送信イネーブル信号ｅｗｉ＃ｘ、及び、受信イネーブル信号デコーダ２４により生成された第ｘの受信イネーブル信号ｅｒｉ＃ｘが入力される。
【００５６】
第ｘの転送ユニット２０−ｘは、第ｘの送信許可信号ｒｗｏ＃ｘ並びに第ｘの受信許可信号ｒｒｏ＃ｘを生成する。第ｘの部分データユニット２０−ｘは、第ｘの受信許可信号ｒｒｏ＃ｘを受信許可信号セレクタ２６に出力する。
【００５７】
第ｘの転送ユニット２０−ｘには、送信装置１１から送信データｄｗｉが入力される。第ｘの転送ユニット２０−ｘは、送信イネーブル信号デコーダ２３から供給された第ｘの送信イネーブル信号ｅｗｉ＃ｘのタイミング（例えば立ち上がりエッジ）で送信データｄｗｉをラッチする。また、第ｘの転送ユニット２０−ｘにラッチされたデータは、受信イネーブル信号デコーダ２４から供給された第ｘの受信イネーブル信号ｅｒｉ＃ｘのタイミング（例えば立ち上がりエッジ）で、データセレクタ２７を介して受信装置１２により読み出される。
【００５８】
なお、第１〜第ｎの転送ユニット２０−１〜２０−ｎの具体的な回路構成は、後で詳細に説明をする。
【００５９】
送信カウンタ２１は、クロック入力端子に入力される送信クロックｃｋｗのクロック数（例えば立ち上がりエッジの数）を、１からｎまで巡回的にカウントするカウンタ回路である。送信カウンタ２１には、送信装置１１から供給された送信イネーブル信号ｅｗｉが入力されるイネーブル端子（ｅｎ）が設けられている。送信カウンタ２１は、送信イネーブル信号ｅｗｉがＨとなっているときにカウントを行い、Ｌとなっているときにはカウントをしない。つまり、送信カウンタ２１は、送信イネーブル信号ｅｗｉがＨとなった回数を１からｎまで巡回的にカウントする。送信カウンタ２１のカウント値を以下送信イネーブルカウント値ｃｗｒという。送信イネーブルカウント値ｃｗｒは、送信イネーブル信号デコーダ２３及び送信許可信号セレクタ２５に供給される。
【００６０】
受信カウンタ２２は、クロック入力端子に入力される受信クロックｃｋｒのクロック数（例えば立ち上がりエッジの数）を、１からｎまで巡回的にカウントするカウンタ回路である。受信カウンタ２２には、受信装置１２から供給された受信イネーブル信号ｅｒｉが入力されるイネーブル端子（ｅｎ）が設けられている。受信カウンタ２２は、受信イネーブル信号ｅｒｉがＨとなっているときにカウントを行い、Ｌとなっているときにはカウントをしない。つまり、受信カウンタ２２は、受信イネーブル信号ｅｒｉがＨとなった回数を１からｎまで巡回的にカウントする。受信カウンタ２２のカウント値を以下受信イネーブルカウント値ｃｒｄという。受信イネーブルカウント値ｃｒｄは、送信イネーブル信号デコーダ２３及び送信許可信号セレクタ２５に供給される。
【００６１】
送信イネーブル信号デコーダ２３は、送信イネーブルカウント値ｃｗｒが入力される入力端子と、ハイ（Ｈ）とロー（Ｌ）の２値信号を出力する第１から第ｎまでの出力端子が設けられている。送信イネーブル信号デコーダ２３は、送信イネーブルカウント値ｃｗｒに対応した出力端子の値のみをＨとするデコーダである。つまり、入力されたカウント値ｃｗｒが“１”であれば第１の出力端子をＨとし、他の出力端子をＬとする。また、カウント値ｃｗｒが“２”であれば第２の出力端子をＨとし、他の出力端子をＬとする。また、カウント値ｃｗｒが“ｎ”であれば第ｎの出力端子をＨとし、他の出力端子をＬとする。
【００６２】
送信イネーブル信号デコーダ２３は、クロック入力端子に送信クロックｃｋｗが入力され、送信クロックｃｋｗのタイミング（例えば立ち上がりエッジ）に同期して動作をする。また、送信イネーブル信号デコーダ２３には、送信イネーブル信号ｅｗｉが入力されるイネーブル端子（ｅｎ）が設けられており、送信イネーブル信号ｅｗｉがＨのときのみ動作し、送信イネーブル信号ｅｗｉがＬのときには、出力端子の値を全てＬに落とす。
【００６３】
送信イネーブル信号デコーダ２３の第１から第ｎの出力端子から出力される信号は、第１から第ｎの送信イネーブル信号ｅｗｉ＃１〜ｅｗｉ＃ｎとして、第１〜第ｎの転送ユニット２０−１〜２０−ｎに供給される。つまり、第１の出力端子から出力された信号は、第１の送信イネーブル信号ｅｗｉ＃１として、第１の転送ユニット２０−１に供給され、第２の出力端子から出力された信号は、第２の送信イネーブル信号ｅｗｉ＃２として、第２の転送ユニット２０−２に供給され、第ｎの出力端子から出力された信号は、第ｎの送信イネーブル信号ｅｗｉ＃ｎとして、第ｎの転送ユニット２０−ｎに供給される。
【００６４】
従って、送信イネーブル信号デコーダ２３の動作は、図３に示すタイミングチャートのように、送信イネーブルカウント値ｃｗｒで特定された転送ユニット２０に対して送信イネーブル信号ｅｗｉを供給することとなる。
【００６５】
受信イネーブル信号デコーダ２４は、受信イネーブルカウント値ｃｒｄが入力される入力端子と、ハイ（Ｈ）とロー（Ｌ）の２値信号を出力する第１から第ｎまでの出力端子が設けられている。受信イネーブル信号デコーダ２４は、受信イネーブルカウント値ｃｒｄに対応した出力端子の値のみをＨとするデコーダである。つまり、入力されたカウント値ｃｒｄが“１”であれば第１の出力端子をＨとし、他の出力端子をＬとする。また、カウント値ｃｒｄが“２”であれば第２の出力端子をＨとし、他の出力端子をＬとする。また、カウント値ｃｒｄが“ｎ”であれば第ｎの出力端子をＨとし、他の出力端子をＬとする。
【００６６】
受信イネーブル信号デコーダ２４には、クロック入力端子に受信クロックｃｋｒが入力され、受信クロックｃｋｒのタイミング（例えば立ち上がりエッジ）に同期して動作をする。また、受信イネーブル信号デコーダ２４には、受信イネーブル信号ｅｒｉが入力されるイネーブル端子（ｅｎ）が設けられており、受信イネーブル信号ｅｒｉがＨのときのみ動作し、受信イネーブル信号ｅｒｉがＬのときには、出力端子の値を全てＬに落とす。
【００６７】
受信イネーブル信号デコーダ２４の第１から第ｎの出力端子から出力される信号は、第１から第ｎの受信イネーブル信号ｅｒｉ＃１〜ｅｗｉ＃ｎとして、第１〜第ｎの転送ユニット２０−１〜２０−ｎに供給される。つまり、第１の出力端子から出力された信号は、第１の受信イネーブル信号ｅｒｉ＃１として、第１の転送ユニット２０−１に供給され、第２の出力端子から出力された信号は、第２の受信イネーブル信号ｅｒｉ＃２として、第２の転送ユニット２０−２に供給され、第ｎの出力端子から出力された信号は、第ｎの受信イネーブル信号ｅｒｉ＃ｎとして、第ｎの転送ユニット２０−ｎに供給される。
【００６８】
従って、受信イネーブル信号デコーダ２４の動作は、図３に示すタイミングチャートのように、受信イネーブル信号ｅｒｉカウント値ｃｒｄで特定された転送ユニット２０に対して受信イネーブル信号ｅｒｉを供給することとなる。
【００６９】
送信許可信号セレクタ２５は、送信イネーブルカウント値ｃｗｒが入力されるセレクト端子（ｓｅｌ）と、第１〜第ｎの入力端子と、１つの出力端子とが設けられたセレクタ回路である。第１〜第ｎの入力端子には、第１〜第ｎの転送ユニット２０−１〜２０−ｎから出力された第１〜第ｎの送信許可信号ｒｗｏ＃１〜ｒｗｏ＃ｎが入力される。
【００７０】
送信許可信号セレクタ２５は、セレクト端子（ｓｅｌ）入力された送信イネーブルカウント値ｃｗｒに対応した１つの入力端子を選択し、選択した入力端子に入力された信号を出力端子から出力する。つまり、送信許可信号セレクタ２５は、カウント値ｃｗｒが“１”であれば第１の送信許可信号ｒｗｏ＃１を出力端子から出力し、カウント値ｃｗｒが“２”であれば第２の送信許可信号ｒｗｏ＃２を出力端子から出力し、カウント値ｃｗｒが“ｎ”であれば第ｎの送信許可信号ｒｗｏ＃ｎを出力端子から出力する。
【００７１】
送信許可信号セレクタ２５は、選択して出力した信号を、送信許可信号ｒｗｏとして送信装置１１に供給する。
【００７２】
受信許可信号セレクタ２６は、受信イネーブルカウント値ｃｒｄが入力されるセレクト端子（ｓｅｌ）と、第１〜第ｎの入力端子と、１つの出力端子とが設けられたセレクタ回路である。第１〜第ｎの入力端子には、第１〜第ｎの転送ユニット２０−１〜２０−ｎから出力された第１〜第ｎの受信許可信号ｒｒｏ＃１〜ｒｒｏ＃ｎが入力される。
【００７３】
受信許可信号セレクタ２６は、セレクト端子（ｓｅｌ）入力された受信イネーブルカウント値ｃｒｄに対応した１つの入力端子を選択し、選択した入力端子に入力された信号を出力端子から出力する。つまり、受信許可信号セレクタ２６は、カウント値ｃｒｄが“１”であれば第１の受信許可信号ｒｒｏ＃１を出力端子から出力し、カウント値ｃｒｄが“２”であれば第２の受信許可信号ｒｒｏ＃２を出力端子から出力し、カウント値ｃｒｄが“ｎ”であれば第ｎの受信許可信号ｒｒｏ＃ｎを出力端子から出力する。
【００７４】
受信許可信号セレクタ２６は、選択して出力した信号を、受信許可信号ｒｒｏとして受信装置１２に供給する。
【００７５】
データセレクタ２７は、受信イネーブルカウント値ｃｒｄが入力されるセレクト端子（ｓｅｌ）と、第１〜第ｎの入力端子と、１つの出力端子とが設けられたセレクタ回路である。第１〜第ｎの入力端子には、第１〜第ｎの転送ユニット２０−１〜２０−ｎにラッチされている第１〜第ｎの受信データｄｒｏ　＃１〜ｄｒｏ　＃ｎが入力される。つまり、第１の入力端子には、第１の転送ユニット２０−１から第１の受信データｄｒｏ　＃１が入力され、第２の入力端子には、第２の転送ユニット２０−２から第２の受信データｄｒｏ　＃２が入力され、第ｎの入力端子には、第ｎの転送ユニット２０−ｎから第ｎの受信データｄｒｏ　＃ｎが入力される。
【００７６】
データセレクタ２７は、セレクト端子（ｓｅｌ）入力された受信イネーブルカウント値ｃｒｄに対応した１つの入力端子を選択し、選択した入力端子に入力された信号を出力端子から出力する。つまり、データセレクタ２７は、カウント値ｃｒｄが“１”であれば第１の受信データｄｒｏ　＃１を出力端子から出力し、カウント値ｃｒｄが“２”であれば第２の受信データｄｒｏ　＃２を出力端子から出力し、カウント値ｃｒｄが“ｎ”であれば第ｎの受信データｄｒｏ　＃ｎを出力端子から出力する。
【００７７】
データセレクタ２７は、選択して出力した信号を、受信データｄｒｏ　として受信装置１２に供給する。
【００７８】
（転送ユニット２０の構成例）
つぎに、任意の転送ユニット２０−ｘの具体的な内部構成について、図４を参照して説明をする。
【００７９】
転送ユニット２０−ｘは、図４に示すように、内部に、データラッチ２８と、タイミング制御回路２９とを備えている。
【００８０】
データラッチ２８は、クロック入力端子が設けられ、このクロック入力端子に入力される信号の立ち上がりエッジに同期して動作するラッチ回路である。データラッチ２８は、このクロック入力端子に送信クロックｃｋｗが入力される。データラッチ２８は、入力端子（ｄ）、イネーブル端子（ｅｎ）及び出力端子（ｑ）を備えている。入力端子（ｄ）には、送信装置１１から送信データｄｗｉが入力され、イネーブル端子（ｅｎ）には、送信イネーブルカウンタ２３から供給された第ｘの送信イネーブル信号ｅｗｉ＃ｘが入力される。データラッチ２８は、送信イネーブル信号ｅｗｉ＃ｘがＨとなっていると、バス上の１ワード分の送信データｄｗｉをラッチする。また、受信端子（ｑ）は、データセレクタ２７の第ｘの入力端子に接続されている。データラッチ２８は、受信イネーブル信号ｅｒｉ＃ｘがＨとなったタイミングで、内部にラッチしている１ワード分のデータが、データセレクタ２７を介して受信装置１２により読み出される。
【００８１】
タイミング制御回路２９は、第１〜第４のＳＲ−フリップフロップ回路（ＳＲ−ＦＦ回路）３１〜３４と、第１〜第２のＤ−フリップフロップ回路（Ｄ−ＦＦ回路）３５〜３６と、第１〜第２のＯＲ演算回路（ＯＲ回路）３７〜３８と、第１〜第２の反転回路３９〜４０と、第１〜第２のＡＮＤ演算回路（ＡＮＤ回路）４１〜４２とを備えている。
【００８２】
第１〜第４のＳＲ−ＦＦ回路３１〜３４は、クロック入力端子が設けられ、このクロック入力端子に入力される信号のタイミング（例えば、立ち上がりエッジ）に同期して動作するＳＲ−フリップフロップ回路である。つまり、第１〜第４のＳＲ−ＦＦ回路３１〜３４は、セット端子（ｓｅｔ）、リセット端子（ｒｓｔ）、出力端子（ｑ）が設けられている。第１〜第４のＳＲ−ＦＦ回路３１〜３４は、セット端子（ｓｅｔ）がＨとなっていると内部状態をＨとし、その後にリセット端子（ｒｓｔ）がＨとなるまでそのＨとなっている内部状態を保持し続ける。第１〜第４のＳＲ−ＦＦ回路３１〜３４は、リセット端子（ｒｓｔ）がＨとなると、その内部状態をＬにリセットする。第１〜第４のＳＲ−ＦＦ回路３１〜３４は、内部状態が出力端子（ｑ）に反映されている。
【００８３】
また、第１〜第４のＳＲ−ＦＦ回路３１〜３４には、初期化端子（ｘｒｓ，ｓｐｒ）が設けられている。第１〜第３のＳＲ−ＦＦ回路３１〜３３は、初期化端子（ｘｒｓ）がＨとされると、強制的に内部状態をＬとする。第４のＳＲ−ＦＦ回路３４は、初期化端子（ｓｐｒ）がＨとされると、強制的に内部状態をＨとする。
【００８４】
第１〜第２のＤ−ＦＦ回路３５〜３６は、クロック入力端子が設けられ、このクロック入力端子に入力される信号のタイミング（例えば、立ち上がりエッジ）に同期して動作するＤ−フリップフロップ回路である。つまり、第１〜第２のＤ−ＦＦ回路３５〜３６は、入力端子（ｄ）、出力端子（ｑ）が設けられている。第１〜第２のＤ−ＦＦ回路３５〜３６は、入力端子（ｄ）に入力された値（ハイ（Ｈ）又はロー（Ｌ））を、１クロック期間分ラッチする。第１〜第２のＤ−ＦＦ回路３５〜３６は、その内部状態が出力端子（ｑ）に反映されている。
【００８５】
第１〜第２のＯＲ回路３７〜３８は、２つの入力端子及び１つの出力端子が設けられており、この２つの入力端子に入力された２つの値（ハイ（Ｈ）又はロー（Ｌ））のＯＲ論理演算を行い、出力端子に反映する回路である。第１〜第２の反転回路３９〜４０は、１つの入力端子及び１つの出力端子が設けられており、入力端子に入力された値（ハイ（Ｈ）又はロー（Ｌ））を反転して、出力端子に反映する回路である。第１〜第２のＡＮＤ回路４１〜４２は、２つの入力端子及び１つの出力端子が設けられており、この２つの入力端子に入力された２つの値（ハイ（Ｈ）又はロー（Ｌ））のＡＮＤ論理演算を行い、出力端子に反映する回路である。
【００８６】
タイミング制御回路２９では、以上のような各回路が次のように接続されている。
【００８７】
第１のＳＲ−ＦＦ回路３１は、セット端子（ｓｅｔ）に送信イネーブル信号デコーダ２３からの第ｘの送信イネーブル信号ｅｗｉ＃ｘが入力され、リセット端子（ｒｓｔ）に第１のＤ−ＦＦ回路３５の出力信号が入力されている。第１のＳＲ−ＦＦ回路３１は、クロック端子に送信クロックｃｋｗが入力されている。
【００８８】
第２のＳＲ−ＦＦ回路３２は、セット端子（ｓｅｔ）に第１のＤ−ＦＦ回路３５の出力信号が入力され、リセット端子（ｒｓｔ）に第３のＳＲ−ＦＦ回路３３の出力信号が入力されている。第２のＳＲ−ＦＦ回路３２は、クロック端子に受信クロックｃｋｒが入力されている。
【００８９】
第３のＳＲ−ＦＦ回路３３は、セット端子（ｓｅｔ）に受信イネーブル信号デコーダ２４からの第ｘの受信イネーブル信号ｅｒｉ＃ｘが入力され、リセット端子（ｒｓｔ）に第２のＤ−ＦＦ回路３６の出力信号が入力されている。第３のＳＲ−ＦＦ回路３３は、クロック端子に受信クロックｃｋｒが入力されている。
【００９０】
第４のＳＲ−ＦＦ回路３４は、セット端子（ｓｅｔ）に第２のＳＲ−ＦＦ回路３６の出力信号が入力され、リセット端子（ｒｓｔ）に第１のＳＲ−ＦＦ回路３１の出力信号が入力されている。第４のＳＲ−ＦＦ回路３４は、クロック端子に送信クロックｃｋｗが入力されている。
【００９１】
第１のＤ−ＦＦ回路３５は、入力端子（ｄ）に第１のＳＲ−ＦＦ回路３１の出力信号が入力されている。第１のＤ−ＦＦ回路３５は、クロック端子に受信クロックｃｋｒが入力されている。第２のＤ−ＦＦ回路３６は、入力端子（ｄ）に第３のＳＲ−ＦＦ回路３３の出力信号が入力されている。第３のＤ−ＦＦ回路３６は、クロック端子に送信クロックｃｋｗが入力されている。
【００９２】
第１のＯＲ回路３７は、一方の入力端子に第１のＤ−ＦＦ回路３５の出力信号が入力され、他方の入力端子に第２のＳＲ−ＦＦ回路３２の出力信号が入力されている。第２のＯＲ回路３８は、一方の入力端子に第２のＤ−ＦＦ回路３６の出力信号が入力され、他方の入力端子に第４のＳＲ−ＦＦ回路３４の出力信号が入力されている。
【００９３】
第１の反転回路３９は、入力端子に第３のＳＲ−ＦＦ回路３３の出力信号が入力されている。第２の反転回路４０は、入力端子に第１のＳＲ−ＦＦ回路３１の出力信号が入力されている。
【００９４】
第１のＡＮＤ回路４１は、一方の入力端子に第１の反転回路３９の出力信号が入力され、他方の入力端子に第２のＳＲ−ＦＦ回路３７の出力信号が入力されている。第２のＡＮＤ回路４２は、一方の入力端子に第２の反転回路４０の出力信号が入力され、他方の入力端子に第４のＳＲ−ＦＦ回路３７の出力信号が入力されている。
【００９５】
そして、以上のように接続されたタイミング制御回路２８では、第１のＡＮＤ回路４１の出力信号が、第ｘの受信許可信号ｒｒｏ＃ｘとして受信許可信号セレクタ２６に対して出力され、第２のＡＮＤ回路４２の出力信号が、第ｘの送信許可信号ｒｗｏ＃ｘとして送信許可信号セレクタ２５に対して出力される。
【００９６】
（データ転送装置の動作タイミング）
つぎに、図５〜図８を参照して、以上のような構成のデータ転送装置１３の動作タイミングについて説明をする。図５及び図６は、ｃｋｗ＜ｃｋｒの場合のタイミングチャートである。図７及び図８は、ｃｋｗ＞ｃｋｒの場合のタイミングチャートである。なお、図５〜図８において、Ｔ１，Ｔ２，Ｔ３，Ｔ４・・・は、送信クロックｃｋｗの立ち上がりエッジに同期した時刻を示しており、Ｔｘ〜Ｔ（ｘ＋１）の時間間隔は、送信クロックｃｋｗの１周期分である（ここでのｘは整数である。）。また、ｔ１，ｔ２，ｔ３，ｔ４・・・は、受信クロックｃｋｒの立ち上がりエッジに同期した時刻を示しており、ｔｘ〜ｔ（ｘ＋１）の時間間隔は、受信クロックｃｋｒの１周期分である（ここでのｘは整数である。）。
【００９７】
また、本例は、送信装置１１は、データ転送装置１３から送信許可信号ｒｗｏが与えられると、即時送信イネーブル信号ｅｗｉをＨとして、送信データｄｗｉの書き込みを行う構成となっている。同様に、受信装置１２は、データ転送装置１３から受信許可信号ｒｒｏが与えられると、即時受信イネーブル信号ｅｒｉをＨとして、受信データｄｒｏの読み出しを行う構成となっている。
【００９８】
まず、ｃｋｗ＜ｃｋｒの場合の動作について図５及び図６を参照して説明をする。
【００９９】
データ転送開始時（Ｔ０）には、送信カウンタ２１及び受信カウンタ２２のカウント値ｃｗｒ，ｃｒｄが同一の値となっている。ここでは、“１”という値となっている。そのため、時刻Ｔ０において、第１の転送ユニット２０−１から発生された送信許可信号ｒｗｏ（ｒｗｏ＃１）が送信装置１１に与えられる。送信装置１１は、送信許可信号ｒｗｏを受信すると即時送信イネーブル信号ｅｗｉをＨとし、送信データｄｗｉ（Ｄ１）を送信クロックｃｋｗに同期してデータ転送装置１３に入力する。このとき、送信カウンタ２１の値が“１”であるので、送信データｄｗｉ（Ｄ１）は第１の転送ユニット２０−１にラッチ（ｄｒｏ＃１）され、送信イネーブル信号ｅｗｉ（ｅｗｉ＃１）も第１の転送ユニット２０−１に入力される。
【０１００】
第１の転送ユニット２０−１は、時刻Ｔ０に受信した送信イネーブル信号ｅｗｉ（ｅｗｉ＃１）に応じて、時刻ｔ３に受信許可信号ｒｒｏ（ｒｒｏ＃１）をＨとする。時刻Ｔ０〜時刻ｔ３の間の時間間隔は、送信クロックｃｋｗの１周期以上の間隔が空けられている。また、時刻ｔ３でＨとされた受信許可信号ｒｒｏ（ｒｒｏ＃１）は、受信カウンタ２２の値が１であるので、第１の転送ユニット２０−１から受信装置１２へ送信される。そのため、受信許可信号ｒｒｏと同時に受信イネーブル信号ｅｒｉがＨとされ、時刻ｔ３に、受信データｄｒｏ（Ｄ１）が受信クロックｃｋｒに同期して第１の転送ユニット２０−１から受信装置１２へ出力される。第１の転送ユニット２０−１は、時刻ｔ３に受信した受信イネーブル信号ｅｒｉ（ｅｒｉ＃１）に応じて、時刻Ｔ３に送信許可信号ｒｗｏ（ｒｗｏ＃１）をＨとする。時刻ｔ３〜時刻Ｔ３の間の時間間隔は、受信クロックｃｋｒの１周期以上の間隔が空けられている。
【０１０１】
続いて、時刻Ｔ０から送信クロックｃｋｗの１周期後の時刻Ｔ１において、時刻Ｔ０で送信イネーブル信号ｅｗｉがＨとなったことに伴って送信カウンタ２１の値が１つインクリメントされ“２”となる。そのため、時刻Ｔ１に、送信装置１１は、送信許可信号ｒｗｏを受信し、即時送信イネーブル信号ｅｗｉをＨとし、送信データｄｗｉ（Ｄ２）を送信クロックｃｋｗに同期してデータ転送装置１３に入力する。送信データｄｗｉ（Ｄ２）は第２の転送ユニット２０−２にラッチ（ｄｒｏ＃２）され、送信イネーブル信号ｅｗｉ（ｅｗｉ＃２）も第２の転送ユニット２０−２に入力される。
【０１０２】
時刻ｔ４において、時刻ｔ３で受信イネーブル信号ｅｒｉがＨとなったことに伴って受信カウンタ２２の値が１つインクリメントされ“２”となる。そのため、時刻ｔ４に、受信装置１２は、第２の転送ユニット２０−２から受信許可信号ｒｒｏ（ｒｒｏ＃２）を受信し、同時に受信イネーブル信号ｅｒｉをＨとし、受信データｄｒｏ（Ｄ２）を受信クロックｃｋｒに同期して受信する。第２の転送ユニット２０−２は、時刻Ｔ４に送信許可信号ｒｗｏ（ｒｗｏ＃２）をＨとする。
【０１０３】
以後、データ転送装置１３では、送信イネーブル信号ｅｗｉがＨとなる毎に、転送ユニットを１つずつずらしながら、送信データｄｗｉの書き込みが行われていく。また、データ転送装置１３では、受信イネーブル信号ｅｒｉがＨとなる毎に、転送ユニットを１つずつずらしながら、受信データｄｒｏの読み出しが行われていく。このとき、送信クロックｃｋｗよりも受信クロックｃｋｒの方が早いため、充分な数の転送ユニットを備えていれば、データ転送装１３に対して連続して送信データｄｗｉを書き込んだとしても、個々の転送ユニット内で書き込みと読み出しの干渉が生じない。
【０１０４】
このように、データ転送装置１３では、ｃｋｗ＜ｃｋｒの場合、送信装置１１へ供給する送信許可信号ｒｗｏが常にＨの状態とすることができ、データの転送効率を最大とすることができる。
【０１０５】
次に、ｃｋｗ＞ｃｋｒの場合の動作について図７及び図８を参照して説明をする。
【０１０６】
例えば時刻Ｔ３には、送信カウンタ２１の値ｃｗｒが“４”となっており、受信カウンタ２２の値ｃｒｄが“１”となっている。時刻Ｔ３において、第４の転送ユニット２０−４から発生された送信許可信号ｒｗｏ（ｒｗｏ＃４）が送信装置１１に与えられる。送信装置１１は、送信許可信号ｒｗｏを受信すると即時送信イネーブル信号ｅｗｉをＨとし、送信データｄｗｉ（Ｄ４）を送信クロックｃｋｗに同期してデータ転送装置１３に入力する。このとき、送信カウンタ２１の値が“４”であるので、送信データｄｗｉ（Ｄ４）は第４の転送ユニット２０−４にラッチ（ｄｒｏ＃４）され、送信イネーブル信号ｅｗｉ（ｅｗｉ＃４）も第４の転送ユニット２０−４に入力される。
【０１０７】
第４の転送ユニット２０−４は、時刻Ｔ３に受信した送信イネーブル信号ｅｗｉ（ｅｗｉ＃４）に応じて、時刻ｔ３に受信許可信号ｒｒｏ（ｒｒｏ＃４）をＨとする。時刻Ｔ３〜時刻ｔ３の間の時間間隔は、送信クロックｃｋｗの１周期以上の間隔が空けられている。また、時刻ｔ３でＨとされた受信許可信号ｒｒｏ（ｒｒｏ＃４）は、時刻ｔ３以後で初めて受信カウンタ２２の値が４となった時刻ｔ４に、第４の転送ユニット２０−４から受信装置１２へ送信される。そのため、この時刻ｔ４に、受信許可信号ｒｒｏと同時に受信イネーブル信号ｅｒｉがＨとされ、受信データｄｒｏ（Ｄ４）が受信クロックｃｋｒに同期して第４の転送ユニット２０−４から受信装置１２へ出力される。第４の転送ユニット２０−４は、時刻ｔ４に受信した受信イネーブル信号ｅｒｉ（ｅｒｉ＃４）に応じて、時刻Ｔ９に送信許可信号ｒｗｏ（ｒｗｏ＃４）をＨとする。時刻ｔ４〜時刻Ｔ９の間の時間間隔は、受信クロックｃｋｒの１周期以上の間隔が空けられている。
【０１０８】
続いて、時刻Ｔ３から送信クロックｃｋｗの１周期後の時刻Ｔ４において、時刻Ｔ３で送信イネーブル信号ｅｗｉがＨとなったことに伴って送信カウンタ２１の値が１つインクリメントされ“１”となる。そのため、時刻Ｔ４に、送信装置１１は、送信許可信号ｒｗｏを受信し、即時送信イネーブル信号ｅｗｉをＨとし、送信データｄｗｉ（Ｄ５）を送信クロックｃｋｗに同期してデータ転送装置１３に入力する。送信データｄｗｉ（Ｄ５）は第１の転送ユニット２０−１にラッチ（ｄｒｏ＃１）され、送信イネーブル信号ｅｗｉ（ｅｗｉ＃１）も第１の転送ユニット２０−１に入力される。
【０１０９】
時刻ｔ５において、時刻ｔ４で受信イネーブル信号ｅｒｉがＨとなったことに伴って受信カウンタ２２の値が１つインクリメントされ“１”となる。そのため、時刻ｔ５に、受信装置１２は、第１の転送ユニット２０−１から受信許可信号ｒｒｏ（ｒｒｏ＃１）を受信し、同時に受信イネーブル信号ｅｒｉをＨとし、受信データｄｒｏ（Ｄ５）を受信クロックｃｋｒに同期して受信する。第１の転送ユニット２０−１は、時刻Ｔ１０に送信許可信号ｒｗｏ（ｒｗｏ＃１）をＨとする。
【０１１０】
以後、データ転送装置１３では、送信イネーブル信号ｅｗｉがＨとなる毎に、転送ユニットを１つずつずらしながら、送信データｄｗｉの書き込みが行われていく。また、データ転送装置１３では、受信イネーブル信号ｅｒｉがＨとなる毎に、転送ユニットを１つずつずらしながら、受信データｄｒｏの読み出しが行われていく。このとき、送信クロックｃｋｗよりも受信クロックｃｋｒの方が遅いため、充分な数の転送ユニットを備えていれば、受信データｄｒｏの転送を連続しても、個々の転送ユニット内で書き込みと読み出しの干渉が生じない。
【０１１１】
このように、データ転送装置１３では、ｃｋｗ＞ｃｋｒの場合、受信装置１２へ供給する受信許可信号ｒｒｏが常にＨの状態とすることができ、データの転送効率を最大とすることができる。
【０１１２】
（連続した伝送を行うために必要な転送ユニット２０の数）
つぎに、ｃｋｗ≦ｃｋｒの場合において、送信データｄｗｉを待ち時間なく連続して伝送するための転送ユニット２０の数について説明をする。
【０１１３】
ｃｋｗ≦ｃｋｒの場合、送信データｄｗｉを連続して伝送するには、送信装置１１が、データ転送装置１３から送信許可信号ｒｗｏが与えられると即時に送信イネーブル信号ｅｗｉをＨとして、送信データｄｗｉの書き込みを行う構成となっていることが条件となる。
【０１１４】
この条件で、もし、転送ユニット２０の数が１つであるとすると、図９に示すような転送動作となる。
【０１１５】
この図９に示すように、送信許可信号ｒｗｏの立ち下がりエッジから、次の送信許可信号ｒｗｏＨの立ち上がりエッジまでの時間間隔を、ΔＴとする。このΔＴは、次の式（１）で表される。
ΔＴ＝Δｔｗ＋（１／ｃｋｒ）＋Δｔｒ　　…（１）
Δｔｗは、送信許可信号ｒｗｏの立ち下がりエッジから、次の受信許可信号ｒｒｏの立ち上がりエッジまでの時間間隔である。Δｔｒは、受信許可信号ｒｒｏの立ち下がりエッジから次の送信許可信号ｒｗｏの立ち上がりエッジまでの時間間隔である。（１／ｃｋｗ）は、送信クロックｃｋｗの周期である。（１／ｃｋｒ）は、受信クロックｃｋｒの周期である。
【０１１６】
ここで、Δｔｗの最大値Δｔｗ＿ｍａｘは、受信クロックｃｋｒの１サイクル分の周期となる。また、Δｔｒの最大値Δｔｒ＿ｍａｘは、送信クロックｃｋｗの１サイクル分の周期となる。従って、ΔＴの最大値ΔＴ＿ｍａｘは、次の式（２）となる。
2004110705.tif 000003
この式（２）を変形すると、以下の式（３）となる。
ΔＴ＿ｍａｘ×ｃｋｗ　＝２×（ｃｋｗ／ｃｋｒ）　＋　１　…（３）
式（３）の左辺のΔＴ＿ｍａｘ×ｃｋｗは、１回のデータ転送に必要となる送信側のクロック数を示している。つまり、ΔＴ＿ｍａｘ×ｃｋｗを上回る数の転送ユニット２０を並列に接続すれば、送信データｄｗｉを連続して転送することが可能となる。
【０１１７】
従って、ｃｋｗ／ｃｋｒ＝１の場合、ΔＴ＿ｍａｘ×ｃｋｗ＝３となる。つまり、ｃｋｗ／ｃｋｒ＝１の場合には、転送ユニット２０を４つ設ければ送信データｄｗｉを連続転送できる。
【０１１８】
また、ｃｋｗ／ｃｋｒ＜１の場合、ΔＴ＿ｍａｘ×ｃｋｗ＜３となる。つまり、ｃｋｗ／ｃｋｒ＜１の場合には、転送ユニット２０を３つ設ければ送信データｄｗｉを連続転送できる。
【０１１９】
さらに、ｃｋｗ／ｃｋｒ＜１／２の場合、ΔＴ＿ｍａｘ×ｃｋｗ＜２となる。つまり、ｃｋｗ／ｃｋｒ＜１／２の場合には、転送ユニット２０を２つ設ければ送信データｄｗｉを連続転送できる。
【０１２０】
なお、ｃｋｗ≧ｃｋｒの場合において、受信データｄｒｏを待ち時間なく連続して伝送するための転送ユニット２０の数も、ｃｋｗ≦ｃｋｒの場合と同様に求めることができる。この場合には、受信装置１２が、データ転送装置１３から受信許可信号ｒｒｏが与えられると、即時に受信イネーブル信号ｅｒｉをＨとして、受信データｄｒｏの書き込みを行う構成となっていることが条件となる。
【０１２１】
このｃｋｗ≧ｃｋｒの場合、受信許可信号ｒｒｏの立ち下がりエッジから、次の受信許可信号ｒｒｏＨの立ち上がりエッジまでの時間間隔を、ΔＴとすると、以下の式（４）を求めることができる。
ΔＴ＿ｍａｘ×ｃｋｒ　＝２×（ｃｋｒ／ｃｋｗ）　＋　１　…（４）
式（４）の左辺のΔＴ＿ｍａｘ×ｃｋｒは、１回のデータ転送に必要となる受信側のクロック数を示している。つまり、ΔＴ＿ｍａｘ×ｃｋｒを上回る数の転送ユニット２０を並列に接続すれば、受信データｄｒｏを連続して転送することが可能となる。
【０１２２】
従って、ｃｋｒ／ｃｋｗ＝１の場合、ΔＴ＿ｍａｘ×ｃｋｒ＝３となる。つまり、ｃｋｒ／ｃｋｗ＝１の場合には、転送ユニット２０を４つ設ければ受信データｄｒｏを連続転送できる。
【０１２３】
また、ｃｋｒ／ｃｋｗ＜１の場合、ΔＴ＿ｍａｘ×ｃｋｒ＜３となる。つまり、ｃｋｒ／ｃｋｗ＜１の場合には、転送ユニット２０を３つ設ければ受信データｄｒｏを連続転送できる。
【０１２４】
さらに、ｃｋｒ／ｃｋｗ＜１／２の場合、ΔＴ＿ｍａｘ×ｃｋｒ＜２となる。つまり、ｃｋｒ／ｃｋｗ＜１／２の場合には、転送ユニット２０を２つ設ければ受信データｄｒｏを連続転送できる。
【０１２５】
（第２の実施の形態）
つぎに、本発明の第２の実施の形態のクロック乗り換えシステムについて説明をする。
【０１２６】
上述した転送ユニット２０の場合、第１のＤ−ＦＦ回路３５は、受信クロックｃｋｒの立ち上がりタイミングで動作する。しかしながら、第１のＤ−ＦＦ回路３５がラッチする信号は、第１のＳＲ−ＦＦ回路３１が送信クロックｃｋｗの立ち上がりタイミングでラッチした信号である。そのため、第１のＳＲ−ＦＦ回路３５が送信イネーブル信号ｅｗｉをラッチしてから、次の受信クロックｃｋｒの立ち上がりタイミングまでの時間間隔が非常に短くなってしまう場合がある。このようにラッチ間隔が短い場合、いわゆるメタステーブルと呼ばれる現象が生じる可能性があり、後段のラッチ回路（第１のＤ−ＦＦ回路３５）の動作が不安定となってしまう。また、第２のＤ−ＦＦ回路３６も、同様にメタステーブルと呼ばれる現象が生じる可能性がある。
【０１２７】
そこで、第２の実施の形態のクロック乗り換えシステムでは、上記データ転送装置１３内の第１〜第ｎの転送ユニット２０−１〜２０−ｎを、次に説明する転送ユニット５０に置き換えた構成としている。
【０１２８】
以下、転送ユニット５０について説明をする。
【０１２９】
転送ユニット５０は、図１０に示すように、内部に、データラッチ５１と、タイミング制御回路５２とを備えている。
【０１３０】
データラッチ５１は、クロック入力端子が設けられ、このクロック入力端子に入力される信号の立ち上がりエッジに同期して動作するラッチ回路である。データラッチ５１は、このクロック入力端子に送信クロックｃｋｗが入力される。データラッチ５１は、入力端子（ｄ）、イネーブル端子（ｅｎ）及び出力端子（ｑ）を備えている。入力端子（ｄ）には、送信装置１１から送信データが入力され、イネーブル端子（ｅｎ）には、送信装置１１から送信イネーブル信号ｅｗｉが入力される。データラッチ５１は、送信イネーブル信号ｅｗｉがＨとなっていると、バス上の１ワード分の送信データｄｗｉをラッチする。また、受信端子（ｑ）は、受信装置１２のデータ入力端子に接続されている。データラッチ５１は、受信イネーブル信号ｅｒｉがＨとなったタイミングで、内部にラッチしている１ワード分のデータが、受信装置１２により読み出される。
【０１３１】
タイミング制御回路５２は、第１〜第４のＳＲ−フリップフロップ回路（ＳＲ−ＦＦ回路）６１〜６４と、第１〜第４のＤ−フリップフロップ回路（Ｄ−ＦＦ回路）６５〜６８と、第１〜第２の反転回路６９〜７０と、第１〜第４のＡＮＤ演算回路（ＡＮＤ回路）７１〜７４とを備えている。
【０１３２】
第１〜第４のＳＲ−ＦＦ回路６１〜６４は、クロック入力端子が設けられ、このクロック入力端子に入力される信号のタイミング（例えば、立ち上がりエッジ）に同期して動作するＳＲ−フリップフロップ回路である。つまり、第１〜第４のＳＲ−ＦＦ回路６１〜６４は、セット端子（ｓｅｔ）、リセット端子（ｒｓｔ）、出力端子（ｑ）が設けられている。第１〜第４のＳＲ−ＦＦ回路６１〜６４は、セット端子（ｓｅｔ）がＨとなっていると内部状態をＨとし、その後にリセット端子（ｒｓｔ）がＨとなるまでそのＨとなっている内部状態を保持し続ける。第１〜第４のＳＲ−ＦＦ回路６１〜６４は、リセット端子（ｒｓｔ）がＨとなると、その内部状態をＬにリセットする。第１〜第４のＳＲ−ＦＦ回路６１〜６４は、内部状態が出力端子（ｑ）に反映されている。
【０１３３】
また、第１〜第４のＳＲ−ＦＦ回路６１〜６４には、初期化端子（ｘｒｓ，ｓｐｒ）が設けられている。第１〜第３のＳＲ−ＦＦ回路６１〜６３は、初期化端子（ｘｒｓ）がＨとされると、強制的に内部状態をＬとする。第４のＳＲ−ＦＦ回路６４は、初期化端子（ｓｐｒ）がＨとされると、強制的に内部状態をＨとする。
【０１３４】
第１〜第４のＤ−ＦＦ回路６５〜６８は、クロック入力端子が設けられ、このクロック入力端子に入力される信号のタイミング（例えば、立ち上がりエッジ）に同期して動作するＤ−フリップフロップ回路である。つまり、第１〜第４のＤ−ＦＦ回路６５〜６８は、入力端子（ｄ）、出力端子（ｑ）が設けられている。第１〜第４のＤ−ＦＦ回路６５〜６８は、入力端子（ｄ）に入力された値（ハイ（Ｈ）又はロー（Ｌ））を、１クロック期間分ラッチする。第１〜第４のＤ−ＦＦ回路６５〜６８は、その内部状態が出力端子（ｑ）に反映されている。
【０１３５】
第１〜第２の反転回路６９〜７０は、１つの入力端子及び１つの出力端子が設けられており、入力端子に入力された値（ハイ（Ｈ）又はロー（Ｌ））を反転して、出力端子に反映する回路である。
【０１３６】
第１〜第４のＡＮＤ回路６９〜７４は、２つの入力端子及び１つの出力端子が設けられており、この２つの入力端子に入力された２つの値（ハイ（Ｈ）又はロー（Ｌ））のＡＮＤ論理演算を行い、出力端子に反映する回路である。
【０１３７】
タイミング制御回路５２では、以上のような各回路が次のように接続されている。
【０１３８】
第１のＳＲ−ＦＦ回路６１は、セット端子（ｓｅｔ）に送信装置１１からの送信イネーブル信号ｅｗｉが入力され、リセット端子（ｒｓｔ）に第１のＡＮＤ回路７１の出力信号が入力されている。第１のＳＲ−ＦＦ回路６１は、クロック端子に送信クロックｃｋｗが入力されている。
【０１３９】
第１のＤ−ＦＦ回路６５は、入力端子（ｄ）に第１のＳＲ−ＦＦ回路６１の出力信号が入力されている。第１のＤ−ＦＦ回路６５は、クロック端子に受信クロックｃｋｒが入力されている。
【０１４０】
第２のＤ−ＦＦ回路６６は、入力端子（ｄ）に第１のＤ−ＦＦ回路６５の出力信号が入力されている。第２のＤ−ＦＦ回路６６は、クロック端子に受信クロックｃｋｒが入力されている。
【０１４１】
第２のＳＲ−ＦＦ回路６２は、セット端子（ｓｅｔ）に第３のＡＮＤ回路７２の出力信号が入力され、リセット端子（ｒｓｔ）に受信イネーブル信号ｅｒｉが入力されている。第２のＳＲ−ＦＦ回路６２は、クロック端子に受信クロックｃｋｒが入力されている。
【０１４２】
第３のＳＲ−ＦＦ回路６３は、セット端子（ｓｅｔ）に受信装置１２からの受信イネーブル信号ｅｒｉが入力され、リセット端子（ｒｓｔ）に第２のＡＮＤ回路７３の出力信号が入力されている。第３のＳＲ−ＦＦ回路６３は、クロック端子に受信クロックｃｋｒが入力されている。
【０１４３】
第３のＤ−ＦＦ回路６７は、入力端子（ｄ）に第３のＳＲ−ＦＦ回路６３の出力信号が入力されている。第３のＤ−ＦＦ回路６７は、クロック端子に送信クロックｃｋｗが入力されている。
【０１４４】
第４のＤ−ＦＦ回路６８は、入力端子（ｄ）に第３のＤ−ＦＦ回路６７の出力信号が入力されている。第４のＤ−ＦＦ回路６８は、クロック端子に送信クロックｃｋｗが入力されている。
【０１４５】
第４のＳＲ−ＦＦ回路６４は、セット端子（ｓｅｔ）に第４のＡＮＤ回路７４の出力信号が入力され、リセット端子（ｒｓｔ）に送信イネーブル信号ｅｗｉが入力されている。第４のＳＲ−ＦＦ回路６４は、クロック端子に送信クロックｃｋｗが入力されている。
【０１４６】
第１の反転回路６９は、入力端子に第２のＤ−ＦＦ回路６６の出力信号が入力されている。
【０１４７】
第２の反転回路７０は、入力端子に第４のＤ−ＦＦ回路６８の出力信号が入力されている。
【０１４８】
第１のＡＮＤ回路７１は、一方の入力端子に第１のＤ−ＦＦ回路６５の出力信号が入力され、他方の入力端子に第２のＤ−ＦＦ回路６６の出力信号が入力されている。
【０１４９】
第２のＡＮＤ回路７２は、一方の入力端子に第３のＤ−ＦＦ回路６７の出力信号が入力され、他方の入力端子に第４のＤ−ＦＦ回路６８の出力信号が入力されている。
【０１５０】
第３のＡＮＤ回路７３は、一方の入力端子に第１の反転回路６９の出力信号が入力され、他方の入力端子に第１のＤ−ＦＦ回路６５の出力信号が入力されている。
【０１５１】
第４のＡＮＤ回路７４は、一方の入力端子に第２の反転回路７０の出力信号が入力され、他方の入力端子に第３のＤ−ＦＦ回路６７の出力信号が入力されている。
【０１５２】
そして、以上のように接続されたタイミング制御回路２２では、第２のＳＲ−ＦＦ回路６２の出力信号が、受信許可信号ｒｒｏとして受信装置１２に対して出力され、第４のＳＲ−ＦＦ回路の出力信号が、送信許可信号ｒｗｏとして送信装置１１に対して出力される。
【０１５３】
以上のような転送ユニットでは、第１のＤ−ＦＦ回路６５は、受信クロックｃｋｒの立ち上がりタイミングで動作する。しかしながら、第１のＤ−ＦＦ回路６５がラッチする信号は、第１のＳＲ−ＦＦ回路６１が送信クロックｃｋｗの立ち上がりタイミングでラッチした信号である。そのため、第１のＳＲ−ＦＦ回路６１が送信イネーブル信号ｅｗｉをラッチしてから、次の受信クロックｃｋｒの立ち上がりタイミングまでの時間間隔が非常に短くなってしまう場合がある。このようにラッチ間隔が短い場合、いわゆるメタステーブルと呼ばれる現象が生じる可能性があり、第１のＤ−ＦＦ回路６５の動作が不安定となってしまう。また、第３のＤ−ＦＦ回路６７も、同様にメタステーブルと呼ばれる現象が生じる可能性がある。
【０１５４】
しかしながら、このタイミング制御回路２２では、第１のＤ−ＦＦ回路６５の後段で、もう一度受信クロックｃｋｒの立ち上がりタイミングで動作する第２のＤ−ＦＦ回路６５が設けらており、この第２のＤ−ＦＦ回路６６がラッチしている信号に基づき受信許可信号ｒｒｏが生成されている。同様に、第３のＤ−ＦＦ回路６７の後段で、もう一度送信クロックｃｋｗの立ち上がりタイミングで動作する第４のＤ−ＦＦ回路６５が設けらており、この第４のＤ−ＦＦ回路６８がラッチしている信号に基づき送信許可信号ｒｗｏが生成されている。
【０１５５】
従って、このタイミング制御回路２２では、上記第１のＤ−ＦＦ回路６５及び第３のＤ−ＦＦ回路６７においてメタステーブルが生じて動作が不安定となったとしても、後段の第２のＤ−ＦＦ回路６６及び第４のＤ−ＦＦ回路６８でその影響が除去され、常に安定した制御信号を出力することが可能となっている。
【０１５６】
（連続した伝送を行うために必要な転送ユニット５０の数）
つぎに、ｃｋｗ≦ｃｋｒの場合において、送信データｄｗｉを待ち時間なく連続して伝送するための転送ユニット５０の数について説明をする。
【０１５７】
ｃｋｗ≦ｃｋｒの場合、送信データｄｗｉを連続して伝送するには、送信装置１１が、データ転送装置１３から送信許可信号ｒｗｏが与えられると、即時に送信イネーブル信号ｅｗｉをＨとして、送信データｄｗｉの書き込みを行う構成となっていることが条件となる。
【０１５８】
この条件で、転送ユニット５０の数が１つであるとすると、図１１に示すような転送動作となる。
【０１５９】
この図１１に示すように、送信許可信号ｒｗｏの立ち下がりエッジから、次の送信許可信号ｒｗｏＨの立ち上がりエッジまでの時間間隔を、ΔＴとする。このΔＴは、次の式（５）で表される。
ΔＴ＝Δｔｗ＋（１／ｃｋｒ）＋Δｔｒ　　…（５）
Δｔｗは、送信許可信号ｒｗｏの立ち下がりエッジから、次の受信許可信号ｒｒｏの立ち上がりエッジまでの時間間隔である。Δｔｒは、受信許可信号ｒｒｏの立ち下がりエッジから次の送信許可信号ｒｗｏの立ち上がりエッジまでの時間間隔である。（１／ｃｋｒ）は、送信クロックｃｋｗの周期である。（１／ｃｋｒ）は、受信クロックｃｋｒの周期である。
【０１６０】
ここで、Δｔｗの最大値Δｔｗ＿ｍａｘは、受信クロックｃｋｒの２サイクル分の周期となる。また、Δｔｒの最大値Δｔｒ＿ｍａｘは、送信クロックｃｋｗの２サイクル分の周期となる。従って、ΔＴの最大値ΔＴ＿ｍａｘは、次の式（６）となる。
2004110705.tif 000004
この式（６）を変形すると、以下の式（７）となる。ΔＴ＿ｍａｘ×ｃｋｗ　＝３×（ｃｋｗ／ｃｋｒ）　＋　２　…（７）
式（７）の左辺のΔＴ＿ｍａｘ×ｃｋｗは、１回のデータ転送に必要となる送信側のクロック数を示している。つまり、ΔＴ＿ｍａｘ×ｃｋｗを上回る数の転送ユニット５０を並列に接続すれば、送信データｄｗｉを連続して転送することが可能となる。
【０１６１】
従って、ｃｋｗ／ｃｋｒ＝１の場合、ΔＴ＿ｍａｘ×ｃｋｗ＝５となる。つまり、ｃｋｗ／ｃｋｒ＝１の場合には、転送ユニット５０を６つ設ければ送信データｄｗｉを連続転送できる。
【０１６２】
また、ｃｋｗ／ｃｋｒ＜１の場合、ΔＴ＿ｍａｘ×ｃｋｗ＜５となる。つまり、ｃｋｗ／ｃｋｒ＜１の場合には、転送ユニット５０を５つ設ければ送信データｄｗｉを連続転送できる。
【０１６３】
また、ｃｋｗ／ｃｋｒ＜１／２の場合、ΔＴ＿ｍａｘ×ｃｋｗ＜２となる。つまり、ｃｋｗ／ｃｋｒ＜１／２の場合には、転送ユニット５０を２つ設ければ送信データｄｗｉを連続転送できる。
【０１６４】
また、ｃｋｗ／ｃｋｒ＜２／３の場合、ΔＴ＿ｍａｘ×ｃｋｗ＜４となる。つまり、ｃｋｗ／ｃｋｒ＜２／３の場合には、転送ユニット５０を４つ設ければ送信データｄｗｉを連続転送できる。
【０１６５】
また、ｃｋｗ／ｃｋｒ＜１／３の場合、ΔＴ＿ｍａｘ×ｃｋｗ＜３となる。つまり、ｃｋｗ／ｃｋｒ＜１／３の場合には、転送ユニット５０を３つ設ければ送信データｄｗｉを連続転送できる。
【０１６６】
なお、ｃｋｗ≧ｃｋｒの場合において、受信データｄｒｏを待ち時間なく連続して伝送するための転送ユニット５０の数も、ｃｋｗ≦ｃｋｒの場合と同様に求めることができる。この場合には、受信装置１２が、データ転送装置１３から受信許可信号ｒｒｏが与えられると、即時に受信イネーブル信号ｅｒｉをＨとして、受信データｄｒｏの書き込みを行う構成となっていることが条件となる。
【０１６７】
このｃｋｗ≧ｃｋｒの場合、受信許可信号ｒｒｏの立ち下がりエッジから、次の受信許可信号ｒｒｏＨの立ち上がりエッジまでの時間間隔を、ΔＴとすると、以下の式（８）を求めることができる。
ΔＴ＿ｍａｘ×ｃｋｒ　＝３×（ｃｋｒ／ｃｋｗ）　＋　２　…（８）
式（８）の左辺のΔＴ＿ｍａｘ×ｃｋｒは、１回のデータ転送に必要となる受信側のクロック数を示している。つまり、ΔＴ＿ｍａｘ×ｃｋｒを上回る数の転送ユニット５０を並列に接続すれば、受信データｄｒｏを連続して転送することが可能となる。
【０１６８】
従って、ｃｋｒ／ｃｋｗ＝１の場合、ΔＴ＿ｍａｘ×ｃｋｒ＝５となる。つまり、ｃｋｒ／ｃｋｗ＝１の場合には、転送ユニット５０を６つ設ければ受信データｄｒｏを連続転送できる。
【０１６９】
また、ｃｋｒ／ｃｋｗ＜１の場合、ΔＴ＿ｍａｘ×ｃｋｒ＜５となる。つまり、ｃｋｒ／ｃｋｗ＜１の場合には、転送ユニット５０を５つ設ければ受信データｄｒｏを連続転送できる。
【０１７０】
また、ｃｋｒ／ｃｋｗ＜２／３の場合、ΔＴ＿ｍａｘ×ｃｋｒ＜４となる。つまり、ｃｋｒ／ｃｋｗ＜２／３の場合には、転送ユニット５０を４つ設ければ受信データｄｒｏを連続転送できる。
【０１７１】
さらに、ｃｋｒ／ｃｋｗ＜１／３の場合、ΔＴ＿ｍａｘ×ｃｋｒ＜３となる。つまり、ｃｋｒ／ｃｋｗ＜１／３の場合には、転送ユニット５０を３つ設ければ受信データｄｒｏを連続転送できる。
【０１７２】
【発明の効果】
本発明にかかるデータ転送装置は、第１のクロックに同期してデータを送信する送信装置と、上記第１のクロックとは異なる第２のクロックに同期してデータを受信する受信装置とを有するクロック乗り換えシステムに適用される。
【０１７３】
本発明にかかるデータ転送装置は、上記送信許可信号及び受信許可信号を生成するとともに上記データをラッチする第１〜第ｎ（ｎは、２以上の整数）の転送ユニットを有している。本発明にかかるデータ転送装置では、各転送ユニットを巡回的に切り換えながら、上記送信許可信号及び受信許可信号を外部に出力するとともに、データをラッチしている。
【０１７４】
このため、本発明にかかるデータ転送装置では、データ送信許可及びデータ受信許可を発生する際に生じる冗長な時間を無くし、効率よくデータ転送を行うことができる。
【図面の簡単な説明】
【図１】本発明の実施の形態のクロック乗り換えシステムのブロック構成図である。
【図２】上記クロック乗り換えシステムで用いられるデータ転送装置の回路図である。
【図３】送信イネーブル信号デコーダ及び受信イネーブル信号デコーダの動作を説明するためのタイミングチャートである。
【図４】転送ユニットの回路図である。
【図５】ｃｋｗ＜ｃｋｒの場合における、データ転送装置の第１の転送ユニット及び第２の転送ユニットのデータ転送のタイミングチャートである。
【図６】ｃｋｗ＜ｃｋｒの場合における、データ転送装置の第３の転送ユニット及び第４の転送ユニットのデータ転送のタイミングチャートである。
【図７】ｃｋｗ＞ｃｋｒの場合における、データ転送装置の第１の転送ユニット及び第２の転送ユニットのデータ転送のタイミングチャートである。
【図８】ｃｋｗ＞ｃｋｒの場合における、データ転送装置の第３の転送ユニット及び第４の転送ユニットのデータ転送のタイミングチャートである。
【図９】送信データｄｗｉを連続して伝送する条件を説明するための図である。
【図１０】第２の実施の形態に適用される転送ユニットの回路図である。
【図１１】図１０に示す転送ユニットを用いた場合に、送信データｄｗｉを連続して伝送する条件を説明するための図である。
【図１２】従来のクロック乗り換えシステムのブロック構成図である。
【図１３】従来のクロック乗り換えシステムのデータ転送のタイミングチャート（ｃｋｗ＜ｃｋｒ）である。
【図１４】従来のクロック乗り換えシステムのデータ転送のタイミングチャート（ｃｋｗ＞ｃｋｒ）である。
【符号の説明】
１　クロック乗り換えシステム、１１　送信装置、１２　受信装置、１３　データ転送装置、２０　転送ユニット、２１　送信カウンタ、２２　受信カウンタ、２３　送信イネーブル信号デコーダ、２４　受信イネーブル信号デコーダ、２５　送信許可信号セレクタ、２６　受信許可信号セレクタ、２７　データセレクタ
【図１】
2004110705.tif 000005
【図２】
2004110705.tif 000006
【図３】
2004110705.tif 000007
【図４】
2004110705.tif 000008
【図５】
2004110705.tif 000009
【図６】
2004110705.tif 000010
【図７】
2004110705.tif 000011
【図８】
2004110705.tif 000012
【図９】
2004110705.tif 000013
【図１０】
2004110705.tif 000014
【図１１】
2004110705.tif 000015
【図１２】
2004110705.tif 000016
【図１３】
2004110705.tif 000017
【図１４】
2004110705.tif 000018